(57)【要約】【課題】フロントパネル装着時に係合状態を確認しながら、容易に装着できるとともに、フロントパネル表面に成型時のヒケを生じないようにして、フィルターが移動しないように固定し、またフィルターの取り出しが容易で、収納部の切欠部からエアリークが生じないようにする。【解決手段】本体５にフィルター２と送風機４を内蔵し、本体５の天面に備えた操作部６と吹出口３の間に段差部７を形成し、段差部７に天板１ａの先端辺１ｂを係合して装着される縦断面が逆Ｌ形状のフロントパネル１を有し、フロントパネル１の透視窓８を通して本体５の操作部６との位置関係を確認しながら、前後左右方向の調整が可能となり、フロントパネル１を確実に取付けることができる空気清浄機を提供できる。【選択図】図１
2009214025.tif 000002
【特許請求の範囲】
【請求項１】
フィルターと送風器を内蔵し、天面前部に操作部と天面後部に吹出口を備えた本体と、前記操作部と前記吹出口の間に形成される段差部と、前記本体の前面を覆うとともに、前記段差部に天板の先端辺を係合して装着される縦断面逆Ｌ形状のフロントパネルを有し、このフロントパネルの前記天板に透視窓を形成してなる空気清浄機。
【請求項２】
操作部に凸状の操作表示部を設け、フロントパネルに設けた透視窓に隣接するとともに、下方に凸状の操作ボタンを設け、前記操作表示部と前記操作ボタンがくい違い状態に配置されることにより、前記操作表示部と前記透視窓が対面して設置可能とした請求項１記載の空気清浄機。
【請求項３】
本体天面に設けた段差部に近接して設けた係合穴と、フロントパネルの天板の裏側に突設した係合突起を有し、フロントパネルを前記段差部を支点として回動することにより、前記係合突起が前記係合穴に係脱可能に嵌入されてなる請求項１または２記載の空気清浄機。
【請求項４】
フロントパネルに側板を付設して横断面形状をコ字形状となし、前記フロントパネルは前記側板により本体の天面前部を挟むように装着可能とした請求項１〜３のいずれかに記載の空気清浄機。
【請求項５】
フィルターの中央付近に圧接する押さえリブをフロントパネルの側板に一体に形成した請求項４記載の空気清浄機。
【請求項６】
本体の前面にフィルターを収納する収納部を設け、この収納部を形成する両側壁の外面に複数の水平方向の三角リブを平行に配設してなる請求項４記載の空気調和装置。
【請求項７】
フロントパネルの下部に爪部を形成し、本体の下部に設けた突片に係合可能とした請求項１〜６のいずれかに記載の空気清浄機。
【請求項８】
フィルターの裏側に位置して、収納部の前面にプッシュ押出具を設けた請求項６記載の空気調和装置。
【請求項９】
フロントパネルに設けたフィルター押さえリブと、収納部に設けたプッシュ押出具を、重ならない配置とした請求項８記載の空気清浄機。
【請求項１０】
プッシュ押出具はフィルターの上端部に対応して収納部に設置してなる請求項８または９記載の空気清浄機。
【発明の詳細な説明】
【技術分野】
【０００１】
本発明は、室内の汚れた空気を清浄化するフィルターを備え、このフィルターを交換するために、本体前面に着脱可能なフロントパネルを有する空気清浄機に関する。
【背景技術】
【０００２】
従来、この種の空気清浄機は、両側面に吸気口１０１、上面に排気口１０２、下面の左右両側に凹部１０３をそれぞれ設けた本体１０４と、本体１０４の前面上方に両端を固着された表示部１０５と、本体１０４の前面を覆いかつ中央部の切り欠き部１０６を介して上方に延設された突出片１０７を両端に設けたフロントグリル１０８と、本体１０４内に収納するフィルター１０９で構成し、フロントグリル１０８を本体１０４の上部に設けた係止部１１０に係止する引っ掛け部１１１を前記突出片１０７の上部に設けている。
【特許文献１】特開平８−１９６８３７号公報
【発明の開示】
【発明が解決しようとする課題】
【０００３】
このような従来の空気清浄機では、フロントグリルの上端に引っ掛け部を設けているが、引っ掛け部は裏面に設けられているため、フロントグリル装着時に引っ掛け部の確認が困難であるという課題がある。
【０００４】
また、空気清浄機のフロントパネル裏面には、収納したフィルターが前後に移動しないように、押さえリブを一体的に設ける場合があり、そのときはフロントパネル前面に成型時のヒケを生じて外観を損なうという課題がある。
【０００５】
また、本体の収納部に収納されたフィルターを取り出すときに、収納部を構成する収納側板に設けた切欠部に手指を押し当てて引き出す構成としているが、切欠部からエアリークが生じやすく、隙間なく収納すると硬くて取り出し難いという課題がある。
【０００６】
本発明は、このような従来の課題を解決するものであり、フロントパネル装着時に係合状態を確認しながら容易に装着でき、またフロントパネル表面に成型時のヒケを生じないようにして、フィルターの押さえリブを一体的に設け、またフィルターの取り出しが容易で、収納部の切欠部からエアリークが生じない空気清浄機を提供することを目的とする。
【課題を解決するための手段】
【０００７】
本発明の空気清浄機は、上記目的を達成するために、フィルターと送風器を内蔵し、天面前部に操作部と天面後部に吹出口を備えた本体と、前記操作部と前記吹出口の間に形成される段差部と、前記本体の前面を覆うとともに、前記段差部に天板の先端辺を係合して装着される縦断面逆Ｌ形状のフロントパネルを有し、このフロントパネルの前記天板に透視窓を形成してなるものである。
【０００８】
また、他の手段は、操作面に凸状の操作表示部を設け、フロントパネルに設けた透視窓に隣接するとともに、下方に凸状の操作ボタンを設け、前記操作表示部と前記操作ボタンがくい違い状態に配置されることにより、前記操作表示部と前記透視窓が対面して設置可能としたものである。
【０００９】
また、他の手段は、本体天面に設けた段差部に近接して設けた係合穴と、フロントパネルの天板の裏側に突設した係合突起を有し、フロントパネルを前記段差部を支点として回動することにより、前記係合突起が前記係合穴に係脱可能に嵌入されてなるものである。
【００１０】
また、他の手段は、フロントパネルに側板を付設して横断面形状をコ字形状となし、前記フロントパネルは前記側板により本体の天面前部を挟むように装着可能としたものである。
【００１１】
また、他の手段は、フィルターの中央付近に圧接する押さえリブをフロントパネルの側板に一体に形成したものである。
【００１２】
また、他の手段は、本体の前面にフィルターを収納する収納部を設け、この収納部を形成する両側壁の外面に複数の水平方向の三角リブを平行に配設してなるものである。
【００１３】
また、他の手段は、フロントパネルの下部に爪部を形成し、本体の下部に設けた突片に係合可能としたものである。
【００１４】
また、他の手段は、フィルターの裏側に位置して、本体前面にプッシュ押出具を設けたものである。
【００１５】
また、他の手段は、フロントパネルに設けたフィルターの押さえリブと、本体前面に設けたプッシュ押出具を、重ならない配置としたものである。
【００１６】
また、他の手段は、プッシュ押出具はフィルターの上端部に対応して本体前面に設置してなるものである。
【００１７】
これにより、フロントパネル装着時に係合状態を確認しながら容易に装着でき、またフロントパネル表面に成型時のヒケを生じないようにして、フィルターの押さえリブを一体的に設け、またフィルターの取り出しが容易で、収納部の切欠部からエアリークが生じない空気清浄機が得られる。
【発明の効果】
【００１８】
本発明によれば、本体天面の段差部にフロントパネルの先端辺を係合させ、フロントパネルの透視窓を通して本体の操作部との位置関係を確認しながら、前後左右方向の調整が可能であり、フロントパネルを正規位置に確実に取付けることができるという効果のある空気清浄機を提供することができる。
【００１９】
また、本体に設けた操作表示部を上方に凸状とするとともに、フロントパネルに設けた操作ボタンを下方に凸状とすることにより、操作表示部と操作ボタンをくい違い状態に配置することとなり、操作表示部に操作ボタンが重ならないように隣接する位置にフロントパネルを左右方向に調整しながら取り付けることにより、取付作業が簡単かつ正確に実施でき、さらにフロントパネル天面の透視窓を凸状の操作表示部の正面位置に合わせることができるので、正規の取付位置であることが目視確認できる。
【００２０】
また、フロントパネルの天板の先端辺を段差に係合しつつ下方に回転させるときに、フロントパネルが本体天面に対して正規の位置にあるときのみ、フロントパネルの天板の裏側に突設した係合突起が、本体天面に設けた係合穴に嵌入して、確実に取り付けることができる。
【００２１】
また、フロントパネルの横断面形状をコ字形状とすることで、フロントパネルの左右の位置ずれが調整され、正規状態に取り付けできる。また、フロントパネルが単独で自立可能となり、仮置きのスペースも少なくすることができるので、フロントパネルの着脱操作が容易となる。
【００２２】
また、フロントパネルの正面側に生じていた成型ヒケの発生を防止し、凹凸のない平坦な面にすることができ、長時間使用した場合においても、汚れが目立たない外観を維持することができる。
【００２３】
また、フィルターの収納部の両側板外側に水平方向の先細の三角リブを上下に平行に配列することで、フロントパネル装着時のガイドとなり、本体への取付操作性を改善することができ、また樹脂成型時の側板の変形が矯正され、フロントパネルを装着したときに、本体とフロントパネルの合わせ目が面一状態となり、すっきりした外観形状を呈することができる。
【００２４】
また、フロントパネルの自重で下方に回動する勢いで、下部に設けたフックの爪部が本体の突片に係合して、容易に本体側に装着される。
【００２５】
また、フィルターの上端を強く押圧することにより、プッシュ押出具がフィルターを収納部よりも手前に押し出すため、フィルターを簡単に引き出すことができるとともに、フィルターの収納部に形成される取り出し用の切欠部も小さくできるので、フィルター周辺のエアリークを少なく抑えることができる。
【００２６】
また、プッシュ押出具をフィルターの押さえリブと重ならない配置とすることで、フロントパネル装着時にはフィルターの押さえリブが確実にフィルターをフィルターの収納部の所定位置に保持するとともに、フロントパネルを外したときには、プッシュ押出具の操作により確実にフィルターを前方に押し出すことができる。
【００２７】
また、プッシュ押出具をフィルターの上端部に設けることで、フロントパネル装着時のプッシュ押出具の誤操作が起こらない配置にできるとともに、フィルターの重量が大なる場合でも、前面に上端部のみを傾けるように押し出すことができ、重量の大きいフィルターでも容易に取外すことができる。
【発明を実施するための最良の形態】
【００２８】
本発明の請求項１記載の空気清浄機は、フィルターと送風器を内蔵し、天面前部に操作部と天面後部に吹出口を備えた本体と、前記操作部と前記吹出口の間に形成される段差部と、前記本体の前面を覆うとともに、前記段差部に天板の先端辺を係合して装着される縦断面逆Ｌ形状のフロントパネルを有し、このフロントパネルの前記天板に透視窓を形成したものであり、本体天面の操作部と吹出口の間に設けた段差部に、縦断面逆Ｌ形状のフロントパネルの天板の先端辺を係合することにより、前後方向の基準合わせが容易にできるとともに、フロントパネルの天板に設けた透視窓を通して、本体天面に設けた操作部と透視窓との位置関係を確認しながら左右方向の微調整が可能であり、本体に対してフロントパネルを正規位置に確実に取付けることができるという作用を有する。                
【００２９】
また、操作部に凸状の操作表示部を設け、フロントパネルに設けた透視窓に隣接するとともに、下方に凸状の操作ボタンを設け、前記操作表示部と前記操作ボタンがくい違い状態に配置されることにより、前記操作表示部と前記透視窓が対面して設置可能としたものであり、本体天面に設けた操作表示部を上方に凸状とし、フロントパネルの天板に設けた操作ボタンを下方に凸状とするとともに、操作表示部に隣接する位置に設けることにより、操作表示部と操作ボタンがくい違い状態で正しく配置することができ、この配置状態のときは、フロントパネル天面の透視窓が凸状の操作表示部の正面位置に合わせることができるので、正規の取付位置であることが目視確認できるという作用を有する。
【００３０】
また、本体天面に設けた段差部に近接して設けた係合穴と、フロントパネルの天板の裏側に突設した係合突起を有し、フロントパネルを前記段差部を支点として回動することにより、前記係合突起が前記係合穴に係脱可能に嵌入されたものであり、フロントパネルの天板の先端辺を段差に係合しつつ下方に回転させるときに、フロントパネルの天板の裏側に突設した係合突起が、本体天面に設けた係合穴に嵌入することができるが、フロントパネルが本体天面の不正規の位置にあるときは、フロントパネルの係合突起は本体天面の係合穴に嵌入することはできず、係合突起が本体天面に当接して、フロントパネルの天板の先端辺が段差から外れたり、フロントパネルが浮き上がってしまうので、フロントパネルの本体に対する取付位置が間違いであることを使用者に容易に理解させることができるという作用を有する。
【００３１】
また、フロントパネルに側板を付設して横断面形状をコ字形状となし、前記フロントパネルは前記側板により本体の天面前部を挟むように装着可能としたものであり、フロントパネルの横断面形状をコ字形状とすることで、フロントパネルの両側面にて本体の左右側面を挟みこむように装着することができ、フロントパネルの取り付け位置が左右に少々ずれた場合でも、フロントパネルの一方の側面が本体の対応する側面を摺接して移動することにより、左右の位置ずれが調整され、正規の取り付け位置に収めることができ、また、フロントパネルの下端部が同一平面上に揃う形状とすることにより、フロントパネルが単独で自立可能となり、メンテナンス時にフロントパネルの着脱操作が容易となり、また外したフロントパネルを床面に仮置きする場合のスペースも少なくすることができるという作用を有する。
【００３２】
また、フィルターの中央付近に圧接する押さえリブをフロントパネルの側板に一体に形成したものであり、フロントパネルに付設する側板に、収納したフィルターが前方に倒れないように、フィルターの押さえリブを一体的に設けることにより、従来はフロントパネルの正面側に生じていた成型ヒケの発生を防止することができ、またフロントパネル正面は凹凸のない平坦な面にすることができ、長時間使用した場合においても、本体の周囲を浮遊する粉塵による汚れが本体前面に付着しても、汚れが目立たない外観を維持することができるという作用を有する。
【００３３】
また、本体の前面にフィルターを収納する収納部を設け、この収納部を形成する両側壁の外面に複数の水平方向の三角リブを平行に配設したものであり、フィルターの収納部の両側板外側に水平方向の三角リブを上下に平行に配列するとともに、三角リブを本体の前方側が先細の三角形状とすることで、フロントパネルを装着するときのガイドとなり、本体への取付操作性を改善することができ、また三角リブは樹脂成型時の側板の変形を抑制して矯正することができ、フロントパネルを装着したときに、本体後部の側板との合わせ目が面一状態となるように保ち、すっきりとした外観形状を維持することができるという作用を有する。
【００３４】
また、フロントパネルの下部に爪部を形成し、本体の下部に設けた突片に係合可能としたものであり、フロントパネルの側面下部に爪部を備えたフックを装着し、爪部に係合可能な突片を本体下部に設けることで、フロントパネルが回動したときに、爪部と突片が係合することとなり、フロントパネルの装着を簡単に行なうことができる。この装着時には、フロントパネル天板裏側に設けた係合突起を本体側に設けた係合穴に係合させた状態で、フロントパネルから手を離スことにより、フロントパネルの自重で下方に回動する勢いで、下部に設けたフックの爪部が本体の突片に係合して、容易に本体側に装着することができるとともに、フロントパネル取外時には、フックを押しながらフロントパネルを手前に引き上げてロックを外すことで、取外し操作も簡単にできるという作用を有する。
【００３５】
また、フィルターの裏側に位置して、本体前面にプッシュ押出具を設けたものであり、フィルターの収納部の最奥面にプッシュ押出具を設けることにより、フィルター取付け時はプッシュ押出具を弱く押しながらフィルターを収納部に収め、フィルターを取外すときには、フィルターの上端を強く押圧することにより、プッシュ押出具がフィルターを収納部よりも手前に押し出すため、フィルターを簡単に引き出すことができる。また、フィルターの収納部に形成したフィルター取出し用の切欠部も極めて小さくすることができるので、切欠部からのエアリークも防止することができるという作用を有する。
【００３６】
また、フロントパネルに設けたフィルターの押さえリブと、フィルターの収納部に設けたプッシュ押出具を、重ならない配置としたものであり、フィルター裏側に位置するプッシュ押出具をフィルターの収納部の上端奥面に設け、フィルターの押さえリブをフィルターの略中央に位置して設けることにより、プッシュ押出具とフィルターの押さえリブとが重ならない配置とすることができ、フロントパネル装着後にフロントパネルが強力に押されても、フィルターの押さえリブがフィルターを介してプッシュ押出具を押圧することはなく、フィルター装着時に誤操作によるフィルター脱離を未然に防止することができるという作用を有する。
【００３７】
また、プッシュ押出具はフィルターの上端部に対応してフィルターの収納部に設置してなるものであり、プッシュ押出具をフィルターの上端部に対応して設けることで、フィルターの押さえリブと重ならない配置とすることができ、フロントパネル装着時のプッシュ押出具の誤操作が起こらない配置となり、またフィルターの重量が大なる場合でも、フィルターの上端部に設けたプッシュ押出具を操作することにより、フィルター下部を支点として、前面に上端部のみを傾けるように押し出すことができ、押し出された部分を両手で挟んで引き出すことにより、重量の大きいフィルターでも容易に取外すことができるという作用を有する。
【００３８】
以下、本発明の実施の形態について、図面を参照しながら説明する。
【００３９】
（実施の形態１）
図１〜図３に示すように、本体５はフィルター２と送風機４を内蔵し、本体５の天面前部に操作部６を設け、天面後部に吹出口３を備え、さらに操作部６と吹出口３の間に操作部６側が低くなる段差部７が形成されている。また、本体５の前面にフィルター２を収納する収納部１５を設け、収納部１５を形成する両側壁５ａの外面に複数の水平方向の三角リブ１６を平行に配設している。縦断面が逆Ｌ形状のフロントパネル１は本体５の前面に着脱可能に取り付けられ、本体５の段差部７にフロントパネル１の天板１ａの先端辺１ｂを係合して装着されるものであり、フロントパネル１の天板１ａに透視窓８を形成している。
【００４０】
また、操作部６に台状に突出した操作表示部９と、突出させないメインスイッチ部１０を設け、またフロントパネル１に設けた透視窓８に隣接して、メインスイッチ部１０用の操作ボタン１０ａを下方に突出して設け、操作表示部９と操作ボタン１０ａをくい違い状態に配置することにより、操作表示部９の真上に透視窓８が対面して設置されている。
【００４１】
また、本体５の天面に設けた段差部７に近接して一対の係合穴１１を設け、この係合穴１１に対応してフロントパネル１の天板１ａの裏側に係合突起１２を突設している。フロントパネル１の先端辺１ｂを段差部７に当接させて、支点として回動することにより、係合突起１２が係合穴１１に係脱可能に嵌入されるものである。
【００４２】
また、フロントパネル１に側板１３を付設して横断面形状をコ字形状としているので、フロントパネル１は側板１３により本体５の天面前部を挟むように装着可能となるものである。
【００４３】
また、フロントパネル１の側板１３に縦長の吸込口１３ａを設け、側板１３の内面にフィルター２の押さえリブ１４を一体に形成し、さらに側板１３の下部に爪部１８を設けて、本体の下部に設けた突片１７に係合可能としている。
【００４４】
上記構成により、本体５の天面に設けた段差部７に、逆Ｌ形状のフロントパネル１の天板１ａの先端辺１ｂを係合することにより、前後方向の基準合わせが容易にできるとともに、フロントパネル１の天板１ａに設けた透視窓８を通して、本体５の天面に設けた操作部６と透視窓８との位置関係を確認しながら左右方向の微調整が可能であり、本体５に対してフロントパネル１を正規位置に確実に取付けることができる。
【００４５】
また、本体５の天面に設けた操作表示部９を上方に凸状とし、フロントパネル１の天板１ａに設けた操作ボタン１０ａを下方に凸状とするとともに、操作表示部９に隣接する位置に設けることにより、操作表示部９と操作ボタン１０ａがくい違い状態で正しく配置することができ、この配置状態のときは、フロントパネル天面の透視窓８が凸状の操作表示部９の正面位置に合わせることができるので、正規の取付位置であることが目視確認できる。
【００４６】
また、フロントパネル１の天板１ａの先端辺１ｂを段差に係合しつつ下方に回転させるときに、フロントパネル１の天板１ａの裏側に突設した係合突起１２が、本体５の天面に設けた係合穴１１に嵌入することができる。しかし、フロントパネル１が本体５の天面の不正規の位置にあるときは、フロントパネル１の係合突起１２は係合穴１１に嵌入することはできず、係合突起１２が本体５の天面に当接して先端辺１ｂが段差から外れたり、フロントパネル１が浮き上がってしまうので、フロントパネル１の本体５に対する取付位置がずれていることを使用者に容易に認識させることができる。
【００４７】
なお、係合穴１１の上部をすり鉢形状とすることにより、係合突起１２の係り代が形成されるので、フロントパネル１の取付位置が少々ずれた場合でも、係合突起１２を係合穴１１に案内することにより、フロントパネル１自体を左右に微調整して移動し、確実に嵌入させることができる。
【００４８】
また、フロントパネル１の横断面形状をコ字形状とすることで、フロントパネル１の側板１３にて本体５の左右側面５ａを挟みこむように装着することができ、フロントパネル１の取付位置が左右に少々ずれた場合でも、左右の位置ずれが調整され、正規の取付位置に収めることができる。さらに、フロントパネル１の横断面形状をコ字形状にすることで、下端部が同一平面上にあれば、フロントパネル１が単独で自立可能となり、メンテナンス時にフロントパネル１の着脱操作が容易となり、また外したフロントパネル１を床面に仮置きする場合のスペースも少なくすることができる。
【００４９】
また、フロントパネル１に付設する側板１３に、フィルター２の中央付近に圧接する押さえリブ１４を一体的に設けることにより、収納したフィルター２が前方に倒れないように、押さえることができるものであり、従来はフロントパネル１の正面側に設けた押さえリブにより成型ヒケが生じていたのに対して、フロントパネル１の成型ヒケの発生を防止することができる。さらに、フロントパネル１正面は凹凸のない平坦面とすることができ、長時間使用した場合において、本体の周囲を浮遊する粉塵による汚れが本体前面に付着しても、汚れが目立たない外観を維持することができる。
【００５０】
また、フィルターの収納部１５を形成する側板５ａの外側に水平方向の三角リブ１６を上下に平行に配列するとともに、三角リブ１６を本体５の前方側が先細の三角形状とすることにより、フロントパネル１を装着するときのガイドとなるので、本体５への取付作業性を改善することができる。さらに、フィルターの収納部１５の側板に三角リブ１６を設けることにより、樹脂成型時の側板５ａの変形が抑制されて矯正され、フロントパネル１を装着したときに、本体５後部の側板５ａとの合わせ目が面一状態となるように保つことができ、すっきりとした外観形状を維持することができる。
【００５１】
また、フロントパネル１の側面１３下部に爪部１８を備えたフック１９を装着し、爪部１８に係合可能な突片１７を本体下部に設けることにより、フロントパネル１が回動したときに、爪部１８と突片１７が係合することとなり、フロントパネル１の装着を簡単に行なうことができる。このときフロントパネル１の天板１ａ裏側に設けた係合突起１２を本体５に設けた係合穴１１に係合させた状態で、フロントパネル１から手を離すことにより、フロントパネル１の自重で下方に回動する勢いで、フック１９の爪部１８が本体５の突片１７に係合して、本体５に容易に装着されるものである。
【００５２】
さらに、フロントパネル１を取り外すときには、フック１９を押しながらロックを外すことで、フロントパネル１を手前に引き上げて取り外すことができ、取外作業も簡単にできるものである。
【００５３】
（実施の形態２）
図９および図１０に示すように、フィルター２の裏側に位置して、本体５前面にプッシュ押出具２０を設けている。フロントパネル１に設けたフィルターの押さえリブ１４をフィルター２の略中央付近の位置に設け、プッシュ押出具２０をフィルター２の上端部に対応する収納部１５の最奥面１５ａに設置することにより、それぞれ重ならない配置としている。
【００５４】
上記構成により、フィルターの収納部１５の最奥面１５ａにプッシュ押出具２０を設けることにより、フィルター２の取付時はプッシュ押出具２０を弱く押しながらフィルター２を収納部１５に収め、フィルター２を取外すときには、フィルター２の上端を強く押圧することにより、プッシュ押出具２０がフィルター２を収納部１５よりも手前に押し出すため、フィルター２を簡単に引き出すことができる。また、フィルターの収納部１５に形成したフィルター２取出用の切欠部５ｂも極めて小さくすることができるので、切欠部５ｂからのエアリークも防止することができる。
【００５５】
また、フィルター２裏側に位置するプッシュ押出具２０をフィルターの収納部１５の上端の最奥面１５ａに設け、フィルター２の押さえリブ１４をフィルター２の略中央に位置して設けることにより、プッシュ押出具２０とフィルターの押さえリブ１４とが重ならない配置とすることができ、フロントパネル１装着後にフロントパネル１が強力に押されても、フィルターの押さえリブ１４がフィルター２を介してプッシュ押出具２０を押圧することはなく、装着したフィルター２が誤操作により脱離するのを未然に防止することができる。
【００５６】
また、プッシュ押出具２０をフィルター２の上端部に設けることで、フィルターの押さえリブ１４と重ならない配置とすることができ、フロントパネル装着時のプッシュ押出具２０の誤操作が起こらない配置となるものである。また、フィルター２の重量が大なる場合でも、フィルター２の上端部に設けたプッシュ押出具２０を操作することにより、フィルター下部を支点として、前面に上端部のみを傾けるように押し出すことができ、押し出された部分を両手で挟んで引き出すことにより、フィルター２が重量の大きい場合でも容易に取り外すことができる。
【図面の簡単な説明】
【００５７】
【図１】本発明の実施の形態１の空気清浄機の分解斜視図
【図２】同、空気清浄機の操作部を示す一部破断の要部斜視図
【図３】同、空気清浄機の組立状態を示す一部破断の外観斜視図
【図４】（イ）同、空気清浄機の係合突起が係合穴に係合する直前状態を示す外観斜視図、（ロ）同、要部断面図
【図５】（イ）同、空気清浄機の係合突起が係合穴に係合途中の状態を示す外観斜視図、（ロ）同、要部断面図
【図６】（イ）同、空気清浄機の係合突起が係合穴に係合した状態を示す外観斜視図、（ロ）同、要部断面図
【図７】（イ）同、空気清浄機のフロントパネル装着時の爪部と突片を示す要部断面図、（ロ）同、フロントパネル分離中の爪部と突片を示す要部断面図
【図８】同、フロントパネル側板に設けたフィルターの押さえリブを示す平面断面図
【図９】本発明の実施の形態２の空気清浄機のプッシュ押出具とフィルターの押さえリブの配置関係を示す正面説明図
【図１０】同、プッシュ押出具とフィルターの押さえリブの配置関係を示す側面断面図
【図１１】（イ）同、同空気清浄機のフィルター収納時のプッシュ押出具の状態を示す要部断面図、（ロ）同、フィルター取り出し中のプッシュ押出具の状態を示す要部断面図
【図１２】従来の空気清浄機本体の側断面図
【図１３】同、フロントパネルを取外したときの本体の要部平面図
【図１４】同、フロントパネルの引掛け部を示した要部斜視図
【符号の説明】
【００５８】
１      フロントパネル
１ａ    天板
１ｂ    先端辺
２      フィルター
３      吹出口
４      送風機
５      本体
６      操作部
７      段差部
８      透視窓
９      操作表示部
１０ａ  操作ボタン
１１    係合穴
１２    係合突起
１３    側板
１４    押さえリブ
１５    収納部
１６    三角リブ
１７    突片
１８    爪部
１９    フック
２０    プッシュ押出具
【図１】
2009214025.tif 000003
【図２】
2009214025.tif 000004
【図３】
2009214025.tif 000005
【図４】
2009214025.tif 000006
【図５】
2009214025.tif 000007
【図６】
2009214025.tif 000008
【図７】
2009214025.tif 000009
【図８】
2009214025.tif 000010
【図９】
2009214025.tif 000011
【図１０】
2009214025.tif 000012
【図１１】
2009214025.tif 000013
【図１２】
2009214025.tif 000014
【図１３】
2009214025.tif 000015
【図１４】
2009214025.tif 000016